(57)【要約】【課題】加工がしやすく、複数の流路に等しい流量で給湯または給水することが可能な分岐金具を提供する。【解決手段】内部に温水または水道水の流路が形成される分岐本体１は通常鋳物成形により形成され、開閉ハンドル２は分岐本体１にねじ止めにより固定されている。分岐本体１の内部には隔壁３が形成され、この隔壁３に対してパイプ４がねじ止め等により固定されている。パイプ４は、鋳物成型される分岐本体１とは別個に形成され、腐食しにくい真鍮等により形成されている。また、分岐本体１の側方に設けられた分岐口５に連続して止水栓６が一体成形されている。【選択図】          図１
2004156355.tif 000002
【特許請求の範囲】
【請求項１】
温水または水道水を複数の流路に分流するための分岐金具であって、分岐本体の内部に設けられて流路を仕切る隔壁に対してパイプが固定されて複数の流路を形成することを特徴とする分岐金具。
【請求項２】
前記パイプは耐腐食性材料により形成されていることを特徴とする請求項１記載の分岐金具。
【請求項３】
前記分岐本体に分岐口が設けられ、この分岐口と止水栓とを一体に形成したことを特徴とする請求項１または２記載の分岐金具。
【発明の詳細な説明】
【０００１】
【発明の属する技術分野】
本発明は、食器洗浄機等に温水または水道水を供給するための分岐金具に関する。
【０００２】
【従来の技術】
食器洗浄機等へ温水または水道水を供給するための分岐金具が、例えば特許文献１に記載されている。
【０００３】
【特許文献１】
実公平７−５４３６５号公報（段落番号００１４から００１８）
【０００４】
２ハンドルタイプの給湯給水装置に取り付けて、給湯給水パイプと食器洗浄機のいずれにも給湯するために用いられる分岐金具の一例を、図２に示す。
【０００５】
図２は、分岐金具を取り付ける際の各部品の接続の手順を示したものである。
図２（ａ）は、給湯ハンドル５１、給水ハンドル５２、給湯給水パイプ５３とを備えた給湯給水装置を示す。
この給湯給水装置において、食器洗浄機を使用したい場合には、食器洗浄機では高温の湯が必要で、しかも給湯を行う必要もあるので、分岐金具を設け、給湯給水パイプからの吐水と食器洗浄機への湯供給を行えるようにする必要がある。
【０００６】
分岐金具の取り付けの様子を図２（ａ）、（ｂ）、（ｃ）を用いて説明する。
まず、図２（ａ）のハンドル及び止水栓を取り外した後、図２（ｂ）に示すように、止水栓５４が取り付けられた分岐金具５５を接続する。次に、この分岐金具５５の下端を給湯給水装置本体５６のねじ部５７に差し込み、袋ナット５８を締め付けて分岐金具５５を給湯給水装置本体５６に固定する。
分岐金具５５に取り付けられた止水栓５４には、図２（ｃ）に示すように、カプラーユニット５９を介して給湯ホース６０が接続される。
【０００７】
図３（ａ）に、従来用いられている分岐金具５５の断面を示す。
分岐金具５５にはその側方に分岐口６１が設けられ、この分岐口６１に対して食器洗浄機へ湯を供給するための止水栓５７とカプラーユニット５８とが縦列的に接続され、カプラーユニット５８の他端には図示しない給湯ホースが接続される。開閉ハンドル５１と分岐金具５５とはねじ固定されている。カプラ−ユニット５８は、これに接続される給湯ホ−スが外れた際に、温水または水道水が止水する機能を持つものである。
【０００８】
分岐金具５５内には、鋳物で形成された継手部５９が設けられ、この継手部５９によって分岐金具５５の内部が仕切られることによって、Ａ−Ａ断面に示すように、２つの流路が形成される。
【０００９】
流路の詳細を図３（ｂ）に示す。開閉ハンドル５１の操作によって水栓が開き、二点鎖線で示す流路Ｉは分岐口６１側へ通ずる流路となり、温水は止水栓５７、カプラーユニット５８、給湯ホースを通過して食器洗浄機等へ給湯される。
一方、破線で示す流路ＩＩは、流路Ｉと分岐して、継手部５９によって仕切られた他方の通水路を通って給湯給水装置本体５６側へ通ずる流路であり、温水は給湯給水装置本体５６に設けられた給湯給水パイプ５３から流出する。
そして、食器洗浄機へ湯を供給するためには、開閉ハンドル５１を開くことによって、流路Ｉにより湯が分岐金具５５に流入する。そして、止水栓５７を開くと、カプラ−ユニット５８を介して食器洗浄機に湯が供給される。
また、給湯給水パイプ５３から湯を供給するには、開閉ハンドル５７を開くことによって、流路ＩＩにより継手部５９を介して湯が供給される。
【００１０】
このようにして分岐金具５５を給湯ハンドル５１側に接続することにより、食器洗浄機へ給湯するとともに、給湯給水パイプ５３側へも給湯が可能となる。
以上のような分岐金具の接続を、給水ハンドル５２に対して行うことも可能であり、このように接続することによって、食器洗浄機へ給水するとともに、給湯給水パイプ５３側へも給水が可能となる。
【００１１】
【発明が解決しようとする課題】
しかし、分岐金具５５は開閉ハンドル５１とねじ固定されており、開閉ハンドル５１のねじ径はあらかじめ決まっているため、分岐金具５５の径は開閉ハンドル５１のねじ径によって制限を受ける。
【００１２】
従って、鋳物で継手部５９を形成して２つの流路を形成する従来の分岐金具５５においては、鋳物の製造誤差によって流路の形成が影響を受けやすい。すなわち、継手部５９を形成する鋳物の肉厚が薄いと腐食により貫通しやすくなり、流路を分離できなくなる。一方、鋳物の肉厚が厚いと給湯給水装置本体５６側へ通ずる流路を塞いでしまい、２つの流路に等しい流量で給湯することが困難となる。特に、水圧が低下した状態において吐水量不足が発生しやすい。
【００１３】
また、鋳物で継手部５９を形成する際には、鋳物中子を用いて穴あけが行われるが、寸法の小さい鋳物中子を使用することが必要となるため、加工が難しい。
また、分岐金具５５に止水栓５７を取り付ける際に、分岐口６１に対して止水栓５７が回動するため、止水栓５７の位置が安定せず、施工性が悪い。また、止水栓５７を独立した部品として製造しているため、部品点数が多くなり生産性に欠ける。
さらに、分岐口６１と止水栓５７との接続部からの漏水が生じやすいという問題もある。
【００１４】
本発明は、このような問題点を解決するためになされたもので、加工がしやすく、複数の流路に等しい流量で給湯または給水することが可能な分岐金具を提供することを目的とする。
【００１５】
【課題を解決するための手段】
以上の課題を解決するために、本発明は、温水または水道水を複数の流路に分流するための分岐金具であって、分岐本体の内部に設けられて流路を仕切る隔壁に対してパイプが固定されて複数の流路を形成することを特徴とする分岐金具である。
分岐本体とは別個に形成されたパイプが分岐本体の内部に固定されて複数の流路を形成することにより、複数の流路の径を、十分な吐水量を得るために必要な寸法とすることができる。従って、吐水量が一方の流路に偏ることなく、複数の流路からほぼ等しい流量で吐水することが可能となる。
また、分岐本体の構造を簡単にすることができるため、分岐本体の製造が容易となる。
【００１６】
本発明においては、分岐本体の内部に固定されるパイプは耐腐食性材料により形成されていることが好ましい。
本発明の分岐金具においては、パイプが分岐本体の内部に固定されることによって複数の流路が形成されるため、パイプが腐食すると複数の流路が形成できなくなり、温水または水道水の分流が十分に行われなくなる。そのため、パイプを耐腐食性材料により形成することにより、長期間に亘って複数の流路を確保することが可能となる。
【００１７】
また、本発明は、前記分岐本体に分岐口が設けられ、この分岐口と止水栓とを一体に形成したことを特徴とする分岐金具である。
これにより、分岐口と止水栓との接続部での漏水を防止することができる。また、分岐口と止水栓とを接続する必要がないため、接続時に分岐口と止水栓とが回動して止水栓の位置が安定しないという事態を生じることがない。さらに、分岐金具を構成する部品点数の削減も実現することができる。
【００１８】
【発明の実施の形態】
以下、本発明をその実施の形態に基づいて説明する。
図１に、本発明の実施の形態に係る分岐金具の縦断面を示す。
図１（ａ）において、符号１は、その内部に温水または水道水の流路が形成される分岐本体であり、この分岐本体１は通常鋳物成形により形成される。開閉ハンドル２は分岐本体１にねじ止めにより固定されている。
分岐本体１の内部には隔壁３が形成され、この隔壁３に対してパイプ４の先部がねじ止め等により固定されている。
【００１９】
符号５は分岐本体１の側方に設けられた分岐口であり、この分岐口５に連続して止水栓６が一体成形されて分岐金具７が形成されている。この分岐金具７の止水栓６の一端にカプラーユニット８が接続され、カプラ−ユニット８の一端には図示しないメタルホ−ス等が接続されて、食器洗浄機等へ温水または水道水が供給される。
パイプ４は、図１（ｂ）に示すように、上端及び下端が開口した円筒形状のものであり、鋳物成型される分岐本体１とは別個に形成されたものである。パイプ４は腐食しにくい真鍮等により形成されている。
【００２０】
さらに、パイプ４は一端を分岐本体１に対してねじ止めされており、他端にはゴム製のパッキンが設けられている。そして、このパッキンは、従来の水栓の止水栓に当接している。その結果、給湯器等（図示せず）から流入した湯は、パイプ４を介して分岐本体１に流入する。また、パイプ４はナット部において分岐本体１とパイプ４との間にすきまがあり、このすきまにより水栓本体に湯が流入する。
【００２１】
開閉ハンドル２を操作することによって、温水または水道水が分岐本体１内に流入するが、分岐本体１内の隔壁３に対してパイプ４がねじ止め等により固定されていることによって、分岐本体１内に２つの流路が形成される。
この２つの流路の詳細を、図１（ｃ）に基づいて説明する。
図１（ｃ）は、分岐金具７が給湯給水装置に取り付けられたときの流路を示すものである。
【００２２】
開閉ハンドル２の操作によって水栓が開き、二点鎖線で示す流路Ｉは、パイプ４の内側を通過して分岐口５側へ通ずる流路となる。温水は止水栓６、カプラーユニット８、給湯ホースを通過して食器洗浄機等へ供給される。
一方、破線で示す流路ＩＩは、流路Ｉと分岐して、パイプ４の外側を通過して給湯給水装置本体９側へ通ずる流路であり、温水は給湯給水装置本体９に設けられた給湯給水パイプ１０から流出する。
【００２３】
この分岐金具７においては、分岐本体１とは別個に形成されたパイプ４が分岐本体１の内部に固定されて２つの流路を形成しているため、従来の分岐金具のように継手部を形成する場合と比べて、分岐本体１の成形が容易である。
分岐本体１は通常鋳物で成形されるが、分岐本体１の形状が簡単な形状であるため、鋳物の製造誤差によって流路の形成が影響を受けることがない。従って、いずれの流路においても、流路の径を、十分な吐水量を得るために必要な寸法とすることが可能である。その結果、吐水量が一方の流路に偏ることなく、いずれの流路からもほぼ等しい流量で吐水することが可能となる。
【００２４】
また、分岐本体の構造を簡単にすることができるため、分岐本体を鋳物で形成する際に用いられる鋳物中子の形状を簡単にすることが可能となり、分岐本体の製造が容易となる。
また、分岐本体１の側方に設けられた分岐口５に連続して止水栓６が一体成形されて分岐金具７が形成されていることにより、分岐口５と止水栓６との接続部での漏水を防止することができる。また、分岐口５と止水栓６とを接続する必要がないため、接続時に分岐口５と止水栓６とが回動して止水栓の位置が安定しないという事態を生じることがない。さらに、分岐金具７を構成する部品点数の削減も実現することができる。
【００２５】
【発明の効果】
以上説明したように、以下の効果を奏することができる。
（１）分岐本体とは別個に形成されたパイプが分岐本体の内部に固定されて複数の流路を形成することにより、複数の流路の径を、十分な吐水量を得るために必要な寸法とすることができる。従って、吐水量が一方の流路に偏ることなく、複数の流路からほぼ等しい流量で吐水することが可能となる。
【００２６】
（２）分岐本体の構造を簡単にすることができるため、分岐本体を鋳物で形成する際に用いられる鋳物中子の形状を簡単にすることが可能となり、分岐本体の製造が容易となって、生産性が向上する。
【００２７】
（３）分岐本体を鋳物で形成する際の製造誤差によって、分岐本体の流路の径が影響を受けることを防止することができ、信頼性が向上する。
【００２８】
（４）分岐本体の内部に固定されるパイプが耐腐食性材料により形成されていることにより、長期間に亘って複数の流路を確保することが可能となり、信頼性の高い分岐金具を実現することができる。
【００２９】
（５）分岐本体挿入部に設けられた分岐口と止水栓とを一体に形成したことにより、分岐口と止水栓との接続部での漏水を防止することができる。また、分岐口と止水栓とを接続する必要がないため、接続時に分岐口と止水栓とが回動して止水栓の位置が安定しないという事態を生じることがなく、作業性が向上する。さらに、分岐金具を構成する部品点数を削減することができ、生産性が向上する。
【図面の簡単な説明】
【図１】（ａ）は本発明の実施の形態に係る分岐金具の縦断面図であり、（ｂ）は本発明の実施の形態に係る分岐金具に用いられるパイプであり、（ｃ）は（ａ）に示す分岐金具を給湯給水装置に取り付けたときの縦断面図である。
【図２】分岐金具を給湯給水装置に取り付ける際の取り付けの手順を示す図である。
【図３】（ａ）は従来の分岐金具の縦断面図であり、（ｂ）は（ａ）に示す分岐金具を給湯給水装置に取り付けたときの縦断面図である。
【符号の説明】
１  分岐本体
２  開閉ハンドル
３  隔壁
４  パイプ
５  分岐口
６  止水栓
７  分岐金具
８  カプラーユニット
９  給湯給水装置本体
１０  給湯給水パイプ
【図１】
2004156355.tif 000003
【図２】
2004156355.tif 000004
【図３】
2004156355.tif 000005